(57)【特許請求の範囲】
【請求項１】
物品に設けられた穴の内部への異物の侵入を防止する異物侵入防止方法であって、
上記穴に閉塞材を嵌挿して、該穴を閉塞する工程を備え、
上記閉塞材は、合成樹脂発泡体を材料として上記穴に適嵌する形状とされたブロック本体を有し、該ブロック本体には左右一対の指入れスリットが正面から裏面に向かって設けられており、上記合成樹脂発泡体は、反発弾性（ＪＩＳ  Ｋ  ６４００−３）が５５％以下に設定されていることを特徴とする異物侵入防止方法。
【請求項２】
上記合成樹脂発泡体は、熱硬化性樹脂発泡体である請求項１に記載の異物侵入防止方法。
【請求項３】
請求項１又は請求項２に記載の異物侵入防止方法で用いられることを特徴とする閉塞材。
【発明の詳細な説明】
【技術分野】
【０００１】
本発明は、物品に設けられた穴の内部に、塗装時の塗料、物品の主体への取付時や加工時のネジや切削屑等といった異物が侵入しないように、該穴を閉塞して保護するために使用される閉塞材に関するものである。
【背景技術】
【０００２】
従来、物品が有する穴に塗料やネジや切削屑などといった異物等が侵入しないようにするため、合成樹脂、木材、金属等の任意の材料からなる閉塞材で該穴を閉塞する手段が採用されている（例えば、特許文献１，２参照）。
また、上記閉塞材として、上記物品が有する穴に適嵌する形状とされたものがある。しかし、穴に適嵌する形状とした閉塞材は、穴への嵌め込み、穴からの取り外しが困難になりやすい。そこで、該閉塞材として、例えば特許文献３から特許文献１０に開示されるようなものが提案されている。
【先行技術文献】
【特許文献】
【０００３】
【特許文献１】特開２０１２−２５０２２０号公報
【特許文献２】特開２０１２−２５０２２１号公報
【特許文献３】特開平７−３０８６１３号公報
【特許文献４】特開平１０−３４０４３号公報
【特許文献５】特開２００５−００７２７８号公報
【特許文献６】特開２００７−０４４６３４号公報
【特許文献７】特開２００９−０６６５１６号公報
【特許文献８】特開２００９−０６６５１８号公報
【特許文献９】特開２００９−０７２６５５号公報
【特許文献１０】特開２０１３−４３１０４号公報
【発明の概要】
【発明が解決しようとする課題】
【０００４】
ところが、上記従来の閉塞材で穴に適嵌する形状としたものは、把手やつまみ等を成形あるいは取り付けなければならず、製造が煩雑であるという問題があった。
【課題を解決するための手段】
【０００５】
本発明は、上記従来の問題点を解決するための手段として、合成樹脂発泡体を材料とするブロック本体の正面から裏面に向かって、左右一対の指入れスリットを設け、上記ブロック本体は閉塞対象の穴に適嵌する形状である閉塞材１０を提供するものである。
上記合成樹脂発泡体は、熱硬化性樹脂発泡体であることが好ましく、更に、上記合成樹脂発泡体の反発弾性（ＪＩＳ  Ｋ  ６４００−３）は５５％以下に設定されていることが好ましい。
【発明の効果】
【０００６】
〔作用〕
ブロック本体１の材料である合成樹脂発泡体は弾性体である。したがって技術者が例えば親指と人差し指のような二本の指を上記ブロック本体１の左右一対の指入れスリット２，３に差込むことが出来る。
技術者がこのようにして閉塞材１０を二本の指で支持して物品１Ａの穴２Ａに嵌挿して閉塞することが容易に出来ることになる。
該物品１Ａの塗装あるいは加工等を行なった後は、再び該閉塞材１０の指入れスリット２，３に二本の指を差込んで、該物品１Ａの穴２Ａから該閉塞材１０を引抜くことが容易に出来る。
このようにして物品１Ａを塗装，取付け，あるいは加工等する際に、該物品１Ａの穴２Ａに異物が侵入することを確実に防止出来る。
閉塞材１０を構成する合成樹脂発泡体が、熱硬化性樹脂発泡体であると、該閉塞材１０は好ましい弾性を有し、技術者の指を該閉塞材１０の指入れスリット２，３に差入れることが容易であり、また差入れた指は該指入れスリット２，３に確実に保持される。更に該閉塞材１０は嵌挿した物品１Ａの穴２Ａにも弾性によって確実に保持される。
しかし弾性が高すぎると閉塞材１０を該物品１Ａの穴２Ａに嵌挿したり、引抜いたりすることを円滑に行うことが困難になるから、望ましくは該閉塞材１０の材料である合成樹脂発泡体の反発弾性（ＪＩＳ  Ｋ  ６４００−３）は５５％以下とする。
【０００７】
〔効果〕
本発明にあっては、閉塞材を、対象とする物品１Ａの穴２Ａに簡単かつ確実に嵌挿することが出来、かつ該穴２Ａから引抜くことが出来るから、該物品１Ａの塗装、加工等の際に、該物品１Ａの穴２Ａに異物が侵入することが確実に防止される。
【図面の簡単な説明】
【０００８】
【図１】閉塞材と対象物品との斜視図。
【図２】閉塞材を対象物品の穴に挿入する場合の説明図。
【図３】閉塞材を対象物品の穴に嵌挿した状態の斜視図。
【発明を実施するための形態】
【０００９】
本発明を図１〜図３に示す一実施例によって説明すれば、対象物品１Ａの正面には所定の深さの穴２Ａが設けられている。該対象物品１Ａの穴２Ａは閉塞対象の穴であって、該対象物品１Ａが塗装、加工、組付け（取付け）等する場合には、該穴２Ａに塗料、ネジ、ナット、ピン、切削屑、ホコリ等の異物が侵入しないようにするために、該穴２Ａに適嵌する形状の閉塞材１０によって閉塞する。
【００１０】
該閉塞材１０は合成樹脂発泡体を材料とするブロック本体１と、該ブロック本体１の正面から裏面に向かって設けられる左右一対の指入れスリット２，３とからなる。
上記指入れスリット２，３は、ブロック本体１に形成された切れ込みからなるものであって、通常は線状に閉じた状態とされる（図１参照）。このため、上記閉塞材１０においては、上記指入れスリット２，３が閉じた通常の状態で、該指入れスリット２，３を介した上記ブロック本体１の正面から裏面への異物等の進入が防止されている。
また、該指入れスリット２，３は、上記ブロック本体１が合成樹脂発泡体を材料とすることから、該指入れスリット２，３に指が差し込まれた場合に、それに応じて弾性変形することで開かれる（図２参照）。このような場合においても、上記指入れスリット２，３には指が差し込まれているため、該指入れスリット２，３を介した上記ブロック本体１の正面から裏面への異物等の進入が防止されている。
そして、該指入れスリット２，３から指を抜けば、該指入れスリット２，３は、元の形状である線状に戻ることで閉じた状態となり、該指入れスリット２，３を介した上記ブロック本体１の正面から裏面への異物等の進入が防止される（図３参照）。
【００１１】
上記ブロック本体１の材料としての合成樹脂発泡体としては、例えば、ポリエチレン，ポリプロピレン，ポリスチレン等の熱可塑性樹脂の発泡体、ポリウレタン，尿素樹脂，メラミン樹脂，フェノール樹脂等の熱硬化性樹脂発泡体が使用されるが、腰のある弾性を有する点で、熱硬化性樹脂発泡体を使用することが望ましい。
そして上記指入れスリット２，３に円滑に指を差し入れることが出来、かつ上記閉塞対象の穴２Ａにも円滑に嵌挿引抜き出来るようにするためには、上記合成樹脂発泡体の反発弾性（ＪＩＳ  Ｋ  ６４００−３）は５５％以下に設定されていることが望ましい。
【００１２】
上記閉塞材１０は、図２に示すように二本の指、例えば親指Ｆ１と人差し指Ｆ２とをそれぞれ指入れスリット２，３に差込んで該閉塞材１０を支持し、図３に示すように対象物品１Ａの穴２Ａに嵌挿することによって、該穴２Ａを該閉塞材１０によって閉塞する。
そして該物品１Ａに塗装，加工，組付け（取付け）等した後、再び該閉塞材１０の指入れスリット２，３に二本の指Ｆ１，Ｆ２を差込んで、該閉塞材１０を該穴２Ａから引抜く。
上記対象物品１Ａの穴２Ａは、塗装，加工，組付け（取付け）等の間、該閉塞材１０によって塗料，ネジ，ナット，ピン，切削屑，ホコリ等の異物の侵入が防止される。
【００１３】
なお、上記閉塞材１０は、穴２Ａに適嵌する形状であれば、必ずしも穴２Ａと同一の形状とする必要はない。
即ち、上記閉塞材１０のブロック本体１には、その材料として合成樹脂発泡体が使用されており、該合成樹脂発泡体は、弾性変形が可能であるから、上記閉塞材１０は、穴２Ａと同一の形状でなくとも、弾性変形させることで、該穴２Ａに嵌挿することが可能となる。但し、上記閉塞材１０の形状が穴２Ａの形状と大きく異なる、より詳しくは、穴２Ａの外側（閉塞材１０を嵌挿する側）から見て、上記閉塞材１０の外周形状が穴２Ａの内周形状と大きく異なる場合、該閉塞材１０を穴２Ａに嵌挿することはできても、穴２Ａの外側から見て該閉塞材１０と穴２Ａとの間に隙間が形成されていれば、該隙間から穴２Ａの内部に異物が侵入してしまう。
つまり、上記閉塞材１０において、穴２Ａに適嵌する形状とは、穴２Ａ内に嵌挿可能な形状であり、かつ穴２Ａ内に該閉塞材１０を嵌挿した状態で、穴２Ａの外側（閉塞材１０を嵌挿する側）から見て該閉塞材１０と穴２Ａとの間に隙間が形成されない形状である。
【産業上の利用可能性】
【００１４】
本発明にあっては、物品に塗装あるいは加工等を行なう際、物品の穴に塗料，ネジ，ナット，ピン，切削屑，ホコリ等の異物の侵入が確実に防止されるから、産業上利用可能である。
【符号の説明】
【００１５】
１        ブロック本体
１Ａ      対象物品
２Ａ      穴
２，３    指入れスリット
１０      閉塞材
Ｆ１，Ｆ２  指
【図１】
0006473403.tif 000002
【図２】
0006473403.tif 000003
【図３】
0006473403.tif 000004